(57)【特許請求の範囲】
【請求項１】
電子部品保持部から電子部品供給口へ、電子部品を送り出す電子部品送り出し駆動部を有する部品実装機と連結可能なパーツカセットであって
、前記電子部品送り出し駆動部は、動力源となる駆動モータと、この駆動モータに動作信号を発信する制御部と、前記動作信号が発信されると、この動作信号をカウントし前記駆動モータの動作回数を累積的に記憶しておく記憶部と、エラー発生時にエラー内容を検出しエラー信号を発信するエラー検出手段と、前記エラー信号及び記憶部に記録したモータの動作数からエラー履歴を作成するエラー履歴作成手段とを備え、前記駆動モータは一動作信号に対して一動作行い、前記記憶部は不揮発性メモリであり、前記エラー履歴をエラー履歴記憶メモリに記憶するパーツカセット。
【請求項２】
記憶部に累積的な通電時間を記憶しておき、エラー履歴作成手段はエラー発生時に、前記累積的な通電時間からエラー履歴を作成しエラー履歴記憶メモリに記憶する請求項１記載のパーツカセット。
【請求項３】
エラー履歴記憶メモリは記憶部の一部である請求項１または請求項２記載のパーツカセット。
【請求項４】
記憶部の内容を出力する外部通信コネクタを備える請求項１から請求項３のいずれか１項に記載のパーツカセット。
【請求項５】
請求項１から請求項４のいずれか１項に記載のパーツカセットを搭載した電子部品実装機。
【発明の詳細な説明】
【０００１】
【発明の属する技術分野】
本発明は駆動部に指令を与えて、繰り返しある一定量動作させるような、動作回数が計測可能な機器、例えば本体からの指令によりモータをある一定量回転させ、電子部品を送り出す動作を繰り返す電子部品実装機内に組み込まれるパーツカセットに関する。
【０００２】
【従来の技術】
パーツカセットは電子部品実装機にセットされ、実装機本体の指令により電子部品を所定の数だけ供給する、電子部品供給装置である。パーツカセットが供給した電子部品は実
装機本体の電子部品実装部が受け取り、基板上の所定の個所に電子部品を実装する。電子部品実装機はパーツカセットの部品切れを感知する手段や部品受け渡しの際の吸着エラーを感知する手段を有しており、エラー発生時にはエラー内容、日時等を表示し、作業者はそれらをもとにエラー原因の究明を行う。
【０００３】
【発明が解決しようとする課題】
上記従来のパーツカセットにおいては、エラー発生時にエラー内容や、日時を表示する手段を有しているが、累積動作回数、累積通電時間を記録する手段がないため、エラー原因究明の際にメカの摩耗、疲労度合いを推測することが困難であった。
【０００４】
【課題を解決するための手段】
本発明に係るパーツカセットは、電気部品送り出し駆動部と電子部品保持部と電子部品供給部を有し、前記電子部品送り出し駆動部は、動力源となる駆動モータと、この駆動モータに動作信号を発信する制御部と、前記駆動モータの動作回数や通電時間を累積的に記憶しておく記憶部を備え、前記記憶部は不揮発性メモリであるため、電子部品実装機本体の電源が落とされたり、前記パーツカセットが前記電子部品実装機本体から取り外される等、非通電状態になっても情報が保持されている。
【０００５】
【発明の実施の形態】
本発明に係るパーツカセットは、電気部品送り出し駆動部と電子部品保持部と電子部品供給部を有し、前記電子部品送り出し駆動部は、動力源となる駆動モータと、この駆動モータに動作信号を発信する制御部と、前記駆動モータの動作回数や通電時間を累積的に記憶しておく記憶部を備え、前記記憶部は不揮発性メモリであるため、電子部品実装機本体の電源が落とされたり、前記パーツカセットが前記電子部品実装機本体から取り外される等、非通電状態になっても情報が保持されている。
【０００６】
前記駆動モータは、一動作信号に対して一動作行い、動作信号にて動作回数をカウントしていくので、動作回数を測定するために、センサ回路等を用いる必要がない。
【０００７】
さらに、本発明のパーツカセットはエラー発生時にエラー内容を検出しエラー信号を発信するエラー検出手段と、前記エラー信号及び記憶部に記録したモータの動作数と累積通電時間からエラー履歴を作成するエラー履歴作成手段とを備えることにより、エラーの内容と同時に累積動作回数および累積通電時間を見ることができる。前記エラー履歴はエラー履歴記憶メモリに記憶されるが、エラー履歴記憶メモリは記憶部の一部とすると、エラー履歴記憶メモリと記憶部とを一つの不揮発性メモリでまかなうことができる。
【０００８】
また、パーツカセットの電源は、電子部品実装機から供給されており別途電源を用意する必要は無く、パーツカセットの累積通電時間を正確に計時することができる。
【０００９】
さらに、記憶部の内容を出力する外部通信コネクタをパーツカセットに設けると、外部検査装置と容易に接続ができる。
【００１０】
【実施例】
以下、本発明の実施例を詳細に説明する。
【００１１】
図１は本発明に係るパーツカセット２を搭載した電子部品実装機１のブロック図である。パーツカセット２の電源は電子部品実装機１から供給される。制御部５は不揮発性メモリ６を備えており、通電開始と同時に通電時間の計時を開始し、例えば０．５時間単位で記憶するというように、ある設定された時間単位ごとに不揮発性メモリ６に累積的に記憶する。制御部５は上位指令部４から指令を１回受けるごとに、駆動モータ７に動作信号を発信して電子部品を送り出す方向にある一定量駆動モータ７を回転させて電子部品供給口１３へ電子部品を供給し、動作を完了する。制御部５は駆動モータ７に指令を送るごとに動作回数をカウントし、累積的に不揮発性メモリ６に書き込む。電子部品実装部９は駆動部７から供給された電子部品を受け取り、基板上に電子部品を実装する。制御部５はエラーが発生すると、動作回数、累積通電時間、エラー内容を不揮発性メモリ６に記憶する。制御部５は通電中、外部表示器１０と通信することにより、不揮発性メモリ６に記憶された通電時間、動作回数、エラー履歴を出力させることができる。電子部品実装機１の電源が落とされ、パーツカセット２が非通電状態になっても、不揮発性メモリ６上の累積通電時間、累積動作回数、エラー履歴の情報は保持されている。
【００１２】
図２は、本発明に係るパーツカセットの詳細図である。パーツカセット２は電子部品実装機１と脱着式になっており、制御部５、不揮発性メモリ６、駆動モータ７が内蔵されて、部品保持部８には部品リール１２が取り付けられている。部品リール１２には供給する電子部品がテープ上に並べて巻かれており、外部指令を受けて駆動モータ７が回転し、電子部品を電子部品供給口１３に送り出すと部品リール１２も回転し、連続して電子部品が供給できるようになっている。パーツカセット２が電子部品実装機１から取り外され、非通電状態になっても、不揮発性メモリ６上の累積通電時間、累積動作回数、エラー履歴の情報は保持されている。
【００１３】
本発明に係るパーツカセットは通電中に制御部５に備えられた外部通信コネクタ１１より不揮発性メモリ６に記憶されている情報を外部表示器１０に出力することができる。図３は外部表示器１０に不揮発性メモリ６に記憶されたエラー履歴を出力したときの説明図である。図３の「読込み」ボタンをマウスでクリックすると、不揮発性メモリのデータを読みとって画面にエラー内容と共に累積動作回数と累積通電時間を表示する。エラー履歴表の下に行くほど新しい内容になっており、エラーが発生する毎に下の行にエラー履歴が書き込まれ、記憶できる数を超えると一番上の行から消去されていく。
【００１４】
本発明は不揮発性メモリを用いることで、エラー履歴が不揮発性メモリに書き込まれているため、電子部品実装機本体の電源が落とされたり、前記パーツカセットが前記電子部品実装機本体から取り外される等、非通電状態になっても情報が保持されている。
【発明の効果】
【００１５】
本件請求項１記載の発明は、駆動モータの累積的な動作回数をエラー履歴と同時に記憶することができ、エラー原因の究明に有効である。
【００１６】
請求項２記載の発明は、駆動モータの累積的な動作回数と累積通電時間をエラー履歴と同時に記憶することができ、エラー原因の究明に有効である。
【００１７】
請求項３記載の発明は、動作回数と累積通電時間を記憶する記憶部とエラー履歴を記憶するエラー履歴記憶メモリを一つの不揮発性メモリで実現できるため、制御部構成の単純化に有効である。
【００１８】
請求項４記載の発明は、記憶部の情報を外部に出力することができる。
【図面の簡単な説明】
【図１】本発明に係るパーツカセットを搭載した電子部品実装機のブロック図
【図２】本発明に係るパーツカセットの説明図
【図３】本発明に係るパーツカセットのエラー履歴表示画面の説明図
【符号の説明】
１  電子部品実装機
２  パーツカセット
６  不揮発性メモリ
【図１】
0003582472.tif 000002
【図２】
0003582472.tif 000003
【図３】
0003582472.tif 000004